(57)【要約】      （修正有）【課題】光ディスク装置において、光ピックアップの薄型化が可能な技術の提供。【解決手段】対物レンズ３ａのディスク対向面を、フォーカス制御状態で、光ピックアップ３内における他の最もディスク面に近いディスク対向面、例えばアクチュエータカバーの先端面の位置以上にディスク面側に突出させる。また、非制御状態で、対物レンズ３ａを、該対物レンズ３ａのディスク対向面が、光ピックアップ内における他の最もディスク面に近いディスク対向面の位置からディスク面側に約０．５×１０−３ｍ突出した位置で支持する。【選択図】図４
2008287865.tif 000002
【特許請求の範囲】
【請求項１】
対物レンズを用いて光ディスクに光を照射し、情報の記録または再生を行う光ディスク装置であって、
上記対物レンズのディスク対向面を、光ピックアップ内における他の最もディスク面に近いディスク対向面の位置以上にディスク面側に突出させた状態でフォーカス制御を行う制御手段を備えたことを特徴とする光ディスク装置。
【請求項２】
対物レンズを用いて光ディスクに光を照射し、情報の記録または再生を行う光ディスク装置であって、
光ピックアップ内で対物レンズ駆動用のアクチュエータを覆うアクチュエータカバーと、
上記対物レンズのディスク対向面を、上記アクチュエータカバーの先端面位置以上にディスク面側に突出させた状態でフォーカス制御を行う制御手段と、
を備えた構成を特徴とする光ディスク装置。
【請求項３】
上記制御手段は、上記対物レンズのディスク対向面が上記アクチュエータカバーの先端面よりもディスク面側に約０．５×１０−３ｍ突出した位置を基準に該対物レンズを制御する構成である請求項２に記載の光ディスク装置。
【請求項４】
対物レンズを用いて光ディスクに光を照射し、情報の記録または再生を行う光ディスク装置であって、
非制御状態のとき、上記対物レンズのディスク対向面を、光ピックアップ内における他の最もディスク面に近いディスク対向面の位置からディスク面側に約０．５×１０−３ｍ突出させた状態で該対物レンズを支持するレンズ支持手段と、
上記支持された対物レンズの位置を制御しフォーカス制御を行う制御手段と、
を備えた構成を特徴とする光ディスク装置。
【発明の詳細な説明】
【技術分野】
【０００１】
本発明は、光ディスクに対し情報を記録または再生する光ディスク装置に係り、特に光ピックアップの対物レンズの支持位置とその制御に関する。
【背景技術】
【０００２】
本発明に関連した従来技術としては、例えば、特開２００３−３４６３５８号公報（特許文献１）や特開２００３−３３８０６３号公報（特許文献２）に記載されたものがある。特開２００３−３４６３５８号公報には、薄型ドライブ装置に好適な薄型のピックアップ装置として、対物レンズを含む光学系をアクチュエータと同一の高さレベルに配置する構成が記載され、特開２００３−３３８０６３号公報には、超薄型、小型・高精度の光ピックアップアクチュエータとして、対物レンズ保持筒に対物レンズ衝突防止用プロテクタを設ける構成が記載されている。
【０００３】
【特許文献１】特開２００３−３４６３５８号公報
【特許文献２】特開２００３−３３８０６３号公報
【発明の開示】
【発明が解決しようとする課題】
【０００４】
上記従来技術ではいずれも、対物レンズのディスク対向面は、アクチュエータカバーの先端面よりもディスク面側に突出するようにはされていない。このため、アクチュエータカバー内に占める該対物レンズのスペースは減少せず、光ピックアップ全体の厚さ寸法の減少化を阻害することが予想される。
本発明の課題点は、上記従来技術の状況に鑑み、光ディスク装置において、光ピックアップの厚さ寸法を減らし、装置の薄型化を図れるようにすることである。
【課題を解決するための手段】
【０００５】
上記課題点を解決するために、本発明では、光ディスク装置において、対物レンズのディスク対向面を、フォーカス制御状態で、光ピックアップ内における他の最もディスク面に近いディスク対向面の位置以上にディスク面側に突出させる。また、非制御状態で、対物レンズを、該対物レンズのディスク対向面が、光ピックアップ内における他の最もディスク面に近いディスク対向面の位置からディスク面側に約０．５×１０−３ｍ突出した位置で支持する。
【発明の効果】
【０００６】
本発明によれば、光ピックアップ及び光ディスク装置の薄型化が可能となる。
【発明を実施するための最良の形態】
【０００７】
以下、本発明を実施するための最良の形態につき、図面を用いて説明する。
図１〜図４は、本発明の第１の実施形態の説明図である。図１は、本発明の第１の実施形態としての光ディスク装置の平面図、図２は、図１の光ディスク装置のブロック構成図、図３は、第１の実施形態に用いる光ピックアップの外観図、図４は、図３の光ピックアップ内における対物レンズの制御位置の説明図である。本第１の実施形態は、対物レンズのディスク対向面を、フォーカス制御状態で、光ピックアップ内において他の最もディスク面に近いディスク対向面の位置以上に突出させる場合の例である。
【０００８】
図１において、１は光ディスク装置、２はディスクモータ、３は、光ディスク（図示なし）にレーザ光を照射するとともに反射レーザ光を受光する光ピックアップ、３ａは、光ピックアップ３内の対物レンズ、３ｂは、光ピックアップ３内でアクチュエータ（図示なし）を覆うアクチュエータカバー、４ａは、金属材で構成され、光ピックアップ３の移動機構部（図示なし）側に配され、該光ピックアップ３のディスク半径方向への移動を案内する主案内軸、４ｂは、上記主案内軸４ａと平行に配され、該主案内軸４ａとともに光ピックアップ３の上記ディスク半径方向への移動を案内する副案内軸、５は、主案内軸４ａ及び副案内軸４ｂのディスク対向面側を覆うカバー、７は、カバー５の平面内に設けられた貫通孔、８は、光ピックアップ３上の回路や電子部品（図示なし）と装置本体側の主回路基板との間を電気的に接続するフレキシブル配線基板、９は、主案内軸４ａや、副案内軸４ｂや、ディスクモータ２などが固定されたユニットメカの基台としての基材、１０は、光ディスクを装置内に搬入したり、装置外に搬出するためのトレイである。本第１の実施形態では、光ピックアップ３内において上記他の最もディスク面に近いディスク対向面は、アクチュエータの先端面であるとする。
【０００９】
上記図１の構成において、例えば記録動作を行う場合、光ディスクがディスクモータ２により所定速度で回転駆動され、光ピックアップ３内の対物レンズ３ａが所定の位置・姿勢に自動調整され、該光ピックアップ３上のレーザ駆動回路に記録電流が流され、レーザダイオードからレーザ光が出射されてディスク面に照射され記録が行われる。このとき、光ピックアップ３は、主案内軸４ａと副案内軸４ｂとに案内されて、ディスク内周側からディスク外周側に半径方向に移動する。該光ピックアップ３の移動に伴い、対物レンズ３ａとその周辺部は、光ディスクの記録面（ディスク面）に対向した状態で貫通孔７の領域を移動する。
【００１０】
図２は、図１の光ディスク装置のブロック構成図である。
図２において、１００は、光ディスク装置に装填された光ディスク、２は光ディスク１００を回転駆動するディスクモータ、３は光ピックアップ、３ａは対物レンズ、３ｂはアクチュエータカバー、３ｄは、光ピックアップ３内で、記録再生動作用のレーザ光を発生するレーザダイオード、３ｆは、光ディスク１００の記録面から反射したレーザ光を受光する受光部、３ｅは、レーザダイオード３ｄを駆動するレーザ駆動回路、３ｇは、対物レンズ３ａを駆動しその位置や姿勢を変化させるアクチュエータ、１１は、光ピックアップ３を光ディスク１００の半径方向に移動（アクセス移動）させるピックアップスライド機構、１２はピックアップスライド機構４中のリードスクリュー部材（図示なし）を回転駆動するスライダモータ、１３は、ディスクモータ２やスライダモータ１２を制御駆動するモータ駆動回路、１４は、光ディスク１００へ記録する記録信号を生成する記録信号生成部、１５は、受光部３ｆからの再生信号を、ＲＦ信号や、トラッキング誤差信号や、フォーカス誤差信号として処理する再生／誤差信号処理部、１６は、アクチュエータ３ｇを駆動する駆動信号を生成するフォーカス／トラッキング制御部、２０は、モータ駆動回路１３に供給するサーボ信号を生成したり、記録信号生成部を制御する信号を生成したり、再生／誤差信号処理部１５からの信号に基づき、再生信号（ＲＦ信号）を復調したり、トラッキング誤差信号やフォーカス誤差信号に基づき、フォーカス／トラッキング制御部１６に供給するフォーカス制御信号やトラッキング制御信号を生成したり、上記サーボ信号のレベルを制御したりするＤＳＰ（Ｄｉｇｉｔａｌ  Ｓｉｇｎａｌ  Ｐｒｏｃｅｓｓｏｒ）、３０はＤＳＰ２０を制御するマイコンである。本構成において、上記フォーカス／トラッキング制御部１６、ＤＳＰ２０及びマイコン３０は、制御手段を形成する。
【００１１】
上記構成において、マイコン３０からの指示によりＤＳＰ２０がモータ駆動回路１３にディスクモータ駆動用のサーボ信号を出力すると、該サーボ信号を受けてモータ駆動回路１３は、ディスクモータ駆動用信号を形成して出力し、ディスクモータ２を所定速度で回転させる。ディスクモータ２は光ディスク１００を所定速度で回転させる。記録時、マイコン３０は、ＤＳＰ２０に対し記録を指示する信号を送出する。記録信号生成部１４は、マイコン３０からの指示によるＤＳＰ２０からの制御信号に従い、記録用信号を生成してレーザ駆動回路３ｅに入力する。レーザ駆動回路３ｅは、該記録用信号に基づきレーザダイオード３ｄを駆動し、該記録用信号に対応するレーザ光を発生させる。該レーザ光は対物レンズ３ａを通って、回転する光ディスク１００の記録面に照射され、情報記録が行われる。また、再生時は、光ディスク１００の記録面からの反射レーザ光が対物レンズ３ａを通って受光部３ｆに入り、ここで再生信号として電気信号に変換される。該再生信号は再生／誤差信号処理部１５に入力され、ＲＦ信号や、トラッキング誤差信号や、フォーカス誤差信号として増幅処理等される。再生／誤差信号処理部１５から出力された信号はＤＳＰ２０に入力され、該ＤＳＰ２０内で、ＲＦ信号は復調され、トラッキング誤差信号、フォーカス誤差信号からはそれぞれ、トラッキング制御信号、フォーカス制御信号が形成される。
【００１２】
上記トラッキング制御信号及びフォーカス制御信号は、ＤＳＰ２０から出力されてフォーカス／トラッキング制御部１６に供給される。フォーカス／トラッキング制御部１６では、トラッキング制御信号によってはトラッキング制御用のアクチュエータ駆動信号が形成され、フォーカス制御信号によってはフォーカス制御用のアクチュエータ駆動信号が形成され、それぞれがアクチュエータ３ｇに供給される。アクチュエータ３ｇは、各アクチュエータ駆動信号によって駆動され、対物レンズ３ａを変位させてトラッキング制御やフォーカス制御を行う。対物レンズ３ａは、そのディスク対向面の位置が、アクチュエータカバー３ｂの先端面と同じ高さ位置（第１の位置）と該先端面よりもディスク面側に近い位置（第２の位置）との間にあるようにされた状態で、トラッキング制御やフォーカス制御が行われる。
【００１３】
図３は、第１の実施形態に用いる光ピックアップの外観図である。（ａ）は斜視図、（ｂ）は、少なくともフォーカス制御状態にあるときの側面図である。対物レンズ３ａは、そのディスク対向面が、アクチュエータカバー３ｂの孔部３ｂ１から露出し、少なくともフォーカス制御状態では、アクチュエータカバー３ｂの先端面と同じ高さ位置かまたは該先端面よりもディスク面側に近い位置にあるようにされる。（ｂ）において、ｇ１は、フォーカス制御状態における対物レンズ３ａのディスク対向面と光ディスク１００のディスク面との間の距離（ワーキングディスタンス）、ｇ２は、フォーカス制御状態におけるアクチュエータカバー３ｂの先端面と光ディスク１００のディスク面との間の距離である。本第１の実施形態においては、ｇ１≦ｇ２とされる。例えば、ｇ２＝１．０×１０−３ｍ〜１．２×１０−３ｍ、ｇ１＝０．５×１０−３ｍ〜０．７×１０−３ｍとする。また、対物レンズ３ａはそのディスク対向面が、回転中の光ディスクに接触しても損傷されないようになっている。
【００１４】
図４は、図３の光ピックアップ内における対物レンズの制御位置の説明図である。（ａ）は、フォーカス制御状態において対物レンズ３ａが少なくとも基準位置（フォーカス制御の基準となる位置）にあるときの状態を示す図、（ｂ）は、フォーカス制御状態において対物レンズ３ａがディスク面から最も離れた位置にある状態を示す図である。図４中、３ｃは、対物レンズ３ａを支持するレンズ支持手段である。図４（ａ）において、対物レンズ３ａのディスク対向面はアクチュエータカバー３ｂの先端面よりもディスク面側に近い位置（第２の位置）にあるようにされている。また、図４（ｂ）において、対物レンズ３ａのディスク対向面は、アクチュエータカバー３ｂの先端面と同じ高さ位置（第１の位置）にあるようにされている。図中、ｐは、対物レンズ３ａのディスク対向面の、アクチュエータカバー３ｂの先端面からの突出量（＝ｇ２−ｇ１）であり、図４（ａ）の状態では、突出量ｐは、例えば約０．５×１０−３ｍとされ、図４（ｂ）の状態では該突出量ｐは０（ゼロ）とされる。
【００１５】
上記本発明の第１の実施形態によれば、光ピックアップの厚さ寸法を減らし、装置の薄型化を図ることができる。
【００１６】
図５は、本発明の第２の実施形態の説明図で、光ピックアップ内における対物レンズの支持位置を示す。本第２の実施形態は、非制御状態のとき、対物レンズのディスク対向面を、上記光ピックアップ内における他のディスク対向面の位置からディスク面側に約０．５×１０−３ｍ突出させて該対物レンズを支持する場合である。本第２の実施形態においても、光ピックアップ内において、対物レンズのディスク対向面の、他の最もディスク面に近いディスク対向面は、アクチュエータの先端面であるとする。
【００１７】
図５において、ｇ１'は、フォーカス非制御状態における対物レンズ３ａのディスク対向面と光ディスク１００のディスク面との間の距離（ワーキングディスタンス）、ｇ２'は、フォーカス非制御状態におけるアクチュエータカバー３ｂの先端面と光ディスク１００のディスク面との間の距離、ｐ'は、対物レンズ３ａのディスク対向面の、アクチュエータカバー３ｂの先端面からの突出量（＝ｇ２'−ｇ１'）である。本第２の実施形態においては、突出量ｐ'は、約０．５×１０−３ｍとする。また、対物レンズ３ａは、そのディスク対向面においてレンズ部の周辺にプラスチック材等のプロテクタが設けられている。このため、回転中の光ディスク１００に該対物レンズ３ａが接触した場合も、該プロテクタが光ディスク１００に接触することでレンズ部は非接触状態となって保護され損傷されないようになっている。かかる構成において、フォーカス制御状態とされたとき、対物レンズ３ａは、そのディスク対向面が上記突出量ｐ'の位置を基準位置としてフォーカス制御されてもよいし、または、上記突出量ｐ'の位置からディスク面側もしくはアクチュエータカバー側にずれた位置を基準位置としてフォーカス制御されてもよい。本第２の実施形態の光ディスク装置の全体構成は、その光ピックアップ内における対物レンズの支持位置の特徴点を除き、上記第１の実施形態の場合と同様であるとする。
【００１８】
上記本発明の第２の実施形態によっても、光ピックアップの厚さ寸法を減らし、装置の薄型化を図ることができる。
【００１９】
なお、上記各実施形態では、光ピックアップ内において、対物レンズのディスク対向面の他の、最もディスク面に近いディスク対向面は、アクチュエータの先端面であるとしたが、他の部分であってもよい。
【図面の簡単な説明】
【００２０】
【図１】本発明の第１の実施形態としての光ディスク装置の平面図である。
【図２】図１の光ディスク装置のブロック構成図である。
【図３】第１の実施形態に用いる光ピックアップの外観図である。
【図４】図３の光ピックアップ内における対物レンズの制御位置の説明図である。
【図５】本発明の第２の実施形態の説明図である。
【符号の説明】
【００２１】
１…光ディスク装置、
２…ディスクモータ、
３…光ピックアップ、
３ａ…対物レンズ、
３ｂ…アクチュエータカバー、
３ｃ…レンズ支持手段、
３ｄ…レーザダイオード、
３ｆ…受光部、
３ｅ…レーザ駆動回路、
３ｇ…アクチュエータ、
１１…ピックアップスライド機構、
１２…スライダモータ、
１３…モータ駆動回路、
１４…記録信号生成部、
１５…再生／誤差信号処理部、
１６…フォーカス／トラッキング制御部、
２０…ＤＳＰ、
３０…マイコン。
【図１】
2008287865.tif 000003
【図２】
2008287865.tif 000004
【図３】
2008287865.tif 000005
【図４】
2008287865.tif 000006
【図５】
2008287865.tif 000007